(57)【要約】  本発明は、ガス放射管温度制御システムを公開した。その制御装置は熱処理炉内に挿入して放熱するための少なくとも１つのガス放射管を含み、一つのガス放射管内に配置された第１の熱電対と、一つのガス放射管の管壁にはめ込まれる第２の熱電対と、一つの熱処理炉の作業エリアに配置された第３の熱電対とを含む。また、ガス放射管温度制御システムに基づく温度制御方法も公開し、第１の熱電対と、第２の熱電対と、第３の熱電対とはそれぞれ温度制御装置に電気的に接続され、温度制御装置は各熱電対によって監視された温度に基づいて、ＰＩＤアルゴリズムによりガス放射管の電源の切替を制御することによって、熱処理炉の各段階の温度を正確に制御し、かつ熱処理の温度信号の安定性、均一性、正確さと感度が保証されうる。【選択図】図１
2021521499.tif 000002
【特許請求の範囲】
【請求項１】
熱処理炉内に挿入して放熱するための少なくとも１つのガス放射管（１）を含むガス放射管温度制御システムであり、
一つの前記ガス放射管内（１）に配置され、加熱するエリアの温度制御のために用いられる第１の熱電対（２）と、
一つの前記ガス放射管（１）の管壁にはめ込まれ、保温段階の温度制御のため、及び昇温時の過熱アラームのために用いられる第２の熱電対（３）と、
一つの前記熱処理炉の作業エリアに配置され、昇温段階の温度制御のために用いられる第３の熱電対（４）と、を含み、
前記第１の熱電対（２）と、第２の熱電対（３）と第３の熱電対（４）とはそれぞれ温度制御装置と電気的に接続され、前記温度制御装置は各熱電対によって監視された温度に基づいて、燃料と酸素富化空気の流量をＰＩＤアルゴリズムにより制御することによって、前記ガス放射管（１）内の燃焼反応を制御して、熱処理炉の各段階の温度を正確に制御するガス放射管温度制御システム。
【請求項２】
請求項１のガス放射管温度制御システムにおいて、前記ガス放射管（１）は中空キャビティを有するＵ型構造であることを特徴とするガス放射管温度制御システム。
【請求項３】
請求項１のガス放射管温度制御システムにおいて、前記酸素富化空気（１２）は熱処理工場において窒素を製造する過程で生じた副産物であることを特徴とするガス放射管温度制御システム。
【請求項４】
請求項１のガス放射管温度制御システムにおいて、更に、
前記ガス放射管（１）の先端に設けられ、前記燃料（１０）と上記酸素富化空気（１２）とのそれぞれに繋がるバーナー（１３）とを含むことを特徴とするガス放射管温度制御システム。
【請求項５】
請求項４のガス放射管温度制御システムにおいて、更に、
前記ガス放射管（１）の末端に設けられた煙道（６）と、
前記煙道（６）と前記ガス放射管（１）の末端との間に設けられた熱交換器（５）と、を含み、
前記熱交換器（５）の熱媒体の入り口は前記ガス放射管（１）の末端と繋がり、前記熱媒体の出口は前記煙道（６）と繋がり、前記熱交換器（５）の冷媒体の入り口はパイプを通して送風機（８）と接続し、冷媒体の出口はパイプを通して前記ガス放射管（１）の先端と繋がることを特徴とするガス放射管温度制御システム。
【請求項６】
ガス放射管の温度制御方法は、以下のステップを含み、
ステップ１において、熱処理炉内に燃料（１０）と酸素富化空気（１２）と繋がるガス放射管（１）を配置し、ガス放射管（１）内部にガス放射管（１）の内部の温度を監視する第1の熱電対（２）を設置し、ガス放射管（１）の管壁にガス放射管（１）の管壁の温度を監視する第２の熱電対（３）を設置し、ガス放射管（１）の外部の作業エリアに熱処理炉の作業エリアの温度を監視する第３の熱電対（４）を設置すること、
ステップ２において、第３の熱電対（４）によって検出された温度を温度制御装置に送信し、前記温度制御装置は制御プログラムを実行して計算を行い、熱処理炉の作業状態が昇温段階であるか或いは保温段階であるかを判断し、作業状態が昇温段階である場合には、第３の熱電対（４）によって実測された温度と目標温度との差に基づいて、燃料（１０）と酸素富化空気（１２）の流量を制御することによって、ガス放射管内（１）での燃焼反応を制御すること、
ステップ３において、保温段階において、第２の熱電対（３）によって検出された温度を温度制御装置に送信し、前記温度制御装置は、設定された目標温度により自動的に前記燃料（１０）と酸素富化空気（１２）の流量を制御することによって、設定された目標温度に基づいて、対応する温度制御エリアの温度を調整し、昇温段階において、前記第２の熱電対（３）が熱処理炉の温度の制御に関与しないこと、
ステップ４において、第1の熱電対（２）によって検出された温度を前記温度制御装置に送信して、前記温度制御装置は、設定されたアラーム温度に基づいて、前記熱処理炉内の温度制御エリアの温度がアラーム温度を超えているかどうかを判断し、アラーム温度を超える場合には、前記温度制御装置は、前記目標温度に基づいて、自動的に前記燃料（１０）と酸素富化空気（１２）の流量を制御することによって、温度がアラーム温度より小さくなるようにすることを特徴とするガス放射管の温度制御方法。
【請求項７】
請求項１のガス放射管の温度制御方法において、前記ステップ（２）と、ステップ（３）とステップ（４）に、第３の熱電対（４）によって実測された温度とその温度制御エリアの目標温度との差により、前記熱処理炉内の各温度制御エリアの作業状態が昇温段階であるか保温段階であるかが判断されることを特徴とするガス放射管の温度制御方法。
【請求項８】
請求項１のガス放射管の温度制御方法において、作業エリアにおける前記第３の熱電対（４）によって検出された温度がずっと前記目標温度より低い場合には、前記作業エリアに対応する熱処理炉の温度制御エリアは昇温段階におり、前記作業エリアにおける第３の熱電対（４）によって検出された温度が前記目標温度より大きい或いは同じである場合には、その作業エリアに対応する熱処理炉の温度制御エリアは保温段階にあることを特徴とするガス放射管の温度制御方法。
【請求項９】
請求項１のガス放射管の温度制御方法において、熱処理炉が昇温段階にある場合には、前記第３の熱電対（４）によって実測された温度と当該の温度制御エリアの目標温度との差にしたがって、ＰＩＤアルゴリズムにより熱処理炉の温度を制御し、熱処理炉が保温段階にある場合には、前記第２の熱電対（３）によって実測された温度と当該の温度制御エリアの目標温度との差にしたがって、ＰＩＤアルゴリズムによって熱処理炉の温度を制御することを特徴とするガス放射管の温度制御方法。 
【請求項１０】
請求項１のガス放射管の温度制御方法において、ステップ（３）に、前記ガス放射管（１）内の燃焼反応によって発生した熱の一部がガスの温度を上昇させ、他の一部が伝熱と、放射と、対流とを介して前記ガス放射管と管外環境とに伝達され、熱処理炉の周囲温度を上げ、
前記ガス放射管内の燃焼反応によって発生した熱は、
【数１７】
2021521499.tif 000019
ここで、
【数１８】
2021521499.tif 000020
は質量流量率であり、すなわち、単位時間当たりの燃焼反応に関与するガスの質量であり、Ｈはガスの単位質量当たりの燃焼発熱量、Δtは燃焼反応時間、Ｋは燃焼率であり、
熱収支によれば、各部分の熱量の合計はジュール熱に等しく、
【数１９】
2021521499.tif 000021
ここで、Ｑは燃焼熱、Ｑ１は放射管の昇温時に吸収された熱、Ｑ２は管外環境(熱処理炉)の昇温時に吸収された熱、Ｑ３は管内ガスの昇温時に吸収された熱であり、 
【数２０】
2021521499.tif 000022
ここで、ｍは放射管の質量、Ｃｐは定圧熱容量、
【数２１】
2021521499.tif 000023
は平均定圧熱容量、Ｔｒは放射管の温度（放射管が薄いため、放射管管内の温度はほとんど一致）、Ｔｍは室温であり、
【数２２】
2021521499.tif 000024
【数２３】
2021521499.tif 000025
ここで、ｈｏは放射管と管外環境との間の伝熱係数、ｈｉは放射管と管内環境との間の伝熱係数、Ｔｆｏは管外環境の温度、Ｔｒは管壁の温度、Ｔｆｉは管内環境の温度であり、
方程式（２）によって、
【数２４】
2021521499.tif 000026
があり、
ここで、Ｔｆｏは熱処理炉の作業エリアにおける温度、Ｔｒは放射管の管壁の温度、Ｔｆｉは熱電対によって測定された放射管内の温度であり、
前記温度制御装置は、Ｔｆｏ、Ｔｒ、（Ｔｒ−Ｔｆｏ）および（Ｔｒ−Ｔｆｉ）の値に基づいて、ＰＩＤアルゴリズムを採用し、リアルタイム温度と目標温度との偏差を算出して制御量を出力することによって、熱処理炉の昇温段階と保温段階の温度を正確に制御することを特徴とするガス放射管の温度制御方法。
【発明の詳細な説明】
【技術分野】
【０００１】
本発明は、熱処理装置を加熱するときの温度制御装置に関し、特にガス放射管温度制御システムとその制御方法に関する。
【背景技術】
【０００２】
既存の熱処理炉において、熱処理炉の温度制御モードは、作業エリアにおける熱電対によって測定された温度信号によって温度を制御する。このような温度制御方法は、熱電対の挿入位置の変化と熱処理炉内の気体の流動変化が、測定された温度信号に大きく影響し、測定される温度信号の変動、不正確さ及び遅れなどを引き起こすことが問題となっている。
【０００３】
そのため、温度制御に対する応答が早い上、制御精度が高い熱処理炉の温度制御装置を開発することが大いに必要である。
【発明の概要】
【発明が解決しようとする課題】
【０００４】
本発明は、既存技術における前記問題を解決するために、ガス放射管温度制御システムとその制御方法を提供する。
【課題を解決するための手段】
【０００５】
前記目的を達成するために、本発明は、以下の技術方案を採用する。
【０００６】
本発明の第1の方案は、熱処理炉内に挿入して放熱するための少なくとも1つのガス放射管を含むガス放射管温度制御システムを提供し、
一つの前記ガス放射管内に配置され、加熱するエリアの温度制御のために用いられる第１の熱電対と、
一つの前記ガス放射管の管壁にはめ込まれ、保温段階の温度制御のため、及び昇温時の過熱アラームのために用いられる第２の熱電対と、
一つの前記熱処理炉の作業エリアに配置され、昇温段階の温度制御のために用いられる第３の熱電対と、を含み、
前記第１の熱電対と、第２の熱電対と第３の熱電対とはそれぞれ温度制御装置と電気的に接続され、前記温度制御装置は各熱電対によって監視された温度に基づいて、燃料と酸素富化空気の流量をＰＩＤアルゴリズムにより制御することによって、前記ガス放射管内の燃焼反応を制御して、熱処理炉の各段階の温度を正確に制御することを特徴とする。
【０００７】
さらに、前記ガス放射管温度制御システムにおいて、前記ガス放射管は中空キャビティを有するＵ型構造であり、かつ前記ガス放射管の外壁にヒートシンクが設けられており、熱交換面積を増加させることを特徴とする。
【０００８】
さらに、前記ガス放射管温度制御システムにおいて、前記酸素富化空気は熱処理工場において窒素を製造する過程で生じた副産物であることを特徴とする。
【０００９】
さらに、前記ガス放射管温度制御システムにおいて、更に、
前記ガス放射管の先端に設けられ、前記燃料と上記酸素富化空気とのそれぞれに繋がるバーナーとを含むことを特徴とする。
【００１０】
さらに好ましくは、前記ガス放射管温度制御システムにおいて、更に、
前記ガス放射管の末端に設けられた煙道と、
前記煙道と前記ガス放射管の末端との間に設けられた熱交換器と、を含み、
前記熱交換器の熱媒体の入り口は前記ガス放射管の末端と繋がり、熱媒体の出口は前記煙道と繋がり、前記熱交換器の冷媒体の入り口はパイプを通して送風機と接続し、冷媒体の出口はパイプを通して前記ガス放射管の先端と繋がることを特徴とする。
【００１１】
さらに、前記ガス放射管温度制御システムにおいて、前記燃料をデリバリーするパイプに第２の調整弁が設けられており、前記酸素富化空気をデリバリーするパイプに第３の調整弁が設けられており、送風機と前記ガス放射管とが繋がるパイプに第１の調整弁が設けられており、前記第１の調整弁と、第２の調整弁と、第３の調整弁と、送風機とがそれぞれ前記温度制御装置に電気的に接続されていることを特徴とする。
【００１２】
本発明の第２の方案は、ガス放射管温度制御方法を提供することであり、以下のステップを含み、
ステップ１において、熱処理炉内に燃料と酸素富化空気と繋がるガス放射管を配置し、ガス放射管内部にガス放射管の内部の温度を監視する第１の熱電対を設置し、ガス放射管の管壁にガス放射管の管壁の温度を監視する第２の熱電対を設置し、ガス放射管の外部の作業エリアに熱処理炉の作業エリアの温度を監視する第３の熱電対を設置すること、
ステップ２において、第３の熱電対によって検出された温度を温度制御装置に送信し、前記温度制御装置は制御プログラムを実行して計算を行い、熱処理炉の作業状態が昇温段階であるか或いは保温段階であるかを判断し、作業状態が昇温段階である場合には、第３の熱電対によって実測された温度と目標温度との差に基づいて、燃料と酸素富化空気の流量を制御することによって、ガス放射管内での燃焼反応を制御すること、
ステップ３において、保温段階において、第２の熱電対によって検出された温度を温度制御装置に送信し、前記温度制御装置は、設定された目標温度により自動的に前記燃料と酸素富化空気の流量を制御することによって、設定された目標温度に基づいて、対応する温度制御エリアの温度を調整し、昇温段階において、前記第２の熱電対が熱処理炉の温度の制御に関与しないこと、
ステップ４において、第１の熱電対によって検出された温度を前記温度制御装置に送信して、前記温度制御装置は、設定されたアラーム温度に基づいて、前記熱処理炉内の温度制御エリアの温度がアラーム温度を超えているかどうかを判断し、アラーム温度を超える場合には、前記温度制御装置は、前記目標温度に基づいて、自動的に前記燃料と酸素富化空気の流量を制御することによって、温度がアラーム温度より小さくなるようにすることを特徴とする。
【００１３】
さらに、前記ガス放射管の温度制御方法において、前記ステップ（２）と、ステップ（３）とステップ（４）に、第３の熱電対によって実測された温度とその温度制御エリアの目標温度との差により、前記熱処理炉内の各温度制御エリアの作業状態が昇温段階であるか保温段階であるかが判断されることを特徴とする。
【００１４】
さらに、前記ガス放射管の温度制御方法において、作業エリアにおける前記第３の熱電対によって検出された温度がずっと前記目標温度より低い場合には、前記作業エリアに対応する熱処理炉の温度制御エリアは昇温段階におり、前記作業エリアにおける第３の熱電対によって検出された温度が前記目標温度より大きい或いは同じである場合には、その作業エリアに対応する熱処理炉の温度制御エリアは保温段階にあることを特徴とする。
【００１５】
さらに、前記ガス放射管の温度制御方法において、熱処理炉が昇温段階にある場合には、前記第３の熱電対によって実測された温度と当該の温度制御エリアの目標温度との差にしたがって、ＰＩＤアルゴリズムにより熱処理炉の温度を制御し、熱処理炉が保温段階にある場合には、前記第２の熱電対によって実測された温度と当該の温度制御エリアの目標温度との差にしたがって、ＰＩＤアルゴリズムによって熱処理炉の温度を制御することを特徴とする。 
【００１６】
さらに、前記ガス放射管の温度制御方法において、ステップ（３）に、前記ガス放射管内の燃焼反応によって発生した熱の一部がガスの温度を上昇させ、他の一部が伝熱と、放射と、対流とを介して放射管と管外環境とに伝達され、熱処理炉の周囲温度を上げ、
前記ガス放射管内の燃焼反応によって発生した熱は、
【数１】
2021521499.tif 000003
ここで、
【数２】
2021521499.tif 000004
は質量流量率であり、すなわち、単位時間当たりの燃焼反応に関与するガスの質量であり、Ｈはガスの単位質量当たりの燃焼発熱量、Δtは燃焼反応時間、Ｋは燃焼率である。
熱収支によれば、各部分の熱量の合計はジュール熱に等しく、
【数３】
2021521499.tif 000005
ここで、Ｑは燃焼熱、Ｑ１は放射管の昇温時に吸収された熱、Ｑ２は管外環境(熱処理炉)の昇温時に吸収された熱、Ｑ３は管内ガスの昇温時に吸収された熱である。 
【数４】
2021521499.tif 000006
ここで、ｍは放射管の質量、Ｃｐは定圧熱容量、
【数５】
2021521499.tif 000007
は平均定圧熱容量、Ｔｒは放射管の温度（放射管が薄いため、放射管管内の温度はほとんど一致）、Ｔｍは室温である。
【数６】
2021521499.tif 000008
【数７】
2021521499.tif 000009
ここで、ｈｏは放射管と管外環境との間の伝熱係数、ｈｉは放射管と管内環境との間の伝熱係数、Ｔｆｏは管外環境の温度、Ｔｒは管壁の温度、Ｔｆｉは管内環境の温度である。
方程式（２）によって、
【数８】
2021521499.tif 000010
があり、
ここで、Ｔｆｏは熱処理炉の作業エリアにおける温度、Ｔｒは放射管の管壁の温度、Ｔｆｉは熱電対によって測定された放射管内の温度である。
前記温度制御装置は、Ｔｆｏ、Ｔｒ、（Ｔｒ−Ｔｆｏ）および（Ｔｒ−Ｔｆｉ）の値に基づいて、ＰＩＤアルゴリズムを採用し、リアルタイム温度と目標温度との偏差を算出して制御量を出力することによって、熱処理炉の昇温段階と保温段階の温度を正確に制御することを特徴とする。
【００１７】
さらに、前記ガス放射管の温度制御方法において、前記昇温段階では作業エリアにおける温度によって温度が制御され、保温段階になると、放射管の管壁の温度信号によって温度が制御されることを特徴とする。
【発明の効果】
【００１８】
本発明は、前記技術方案を採用して、既存の技術方案と比べて、以下の技術的な効果を奏する。
【００１９】
本発明で提示したガス放射管温度制御システムとその制御方法は、各熱電対を放射管内部、放射管の管壁、熱処理炉の作業エリアのそれぞれに配置し、異なる段階で異なる温度制御方式を採用し、昇温段階には作業エリアの熱電対の信号によって温度が制御され、保温段階に入った後、放射管の管壁の温度信号によって温度が制御される。熱電対の位置が固定されており、気流の影響を受けることが少ないため、ＰＩＤアルゴリズムによってリアルタイム温度と設定温度との偏差を算出して制御量を出力することによって、抵抗炉の温度を正確に制御できる。よって、熱処理炉の温度信号の安定性、均一性、正確性と感度が保証される。
【図面の簡単な説明】
【００２０】
【図１】図１は本発明のガス放射管温度制御システムの概略構造図である。
【発明を実施するための形態】
【００２１】
本発明をよりよく理解するために、以下の具体的な実施形態を通して、本発明を具体的に説明するが、以下の実施形態は本発明の範囲を限定するものではない。 
【００２２】
図１に示すように、本実施形態は、ガス放射管温度制御システムを提供し、熱処理炉内に挿入して放熱するための少なくとも１つのガス放射管１を含み、さらに、一つの前記ガス放射管１内に配置され、加熱するエリアの温度を制御するために用いられる第１の熱電対２と、一つの前記ガス放射管１の管壁にはめ込まれ、保温段階の温度制御のため、及び昇温時の過熱アラームのために用いられる第２の熱電対３と、一つの前記熱処理炉の作業エリアに配置され、昇温段階の温度制御のために用いられる第３の熱電対４とを含む。前記第１の熱電対２と、第２の熱電対３と第３の熱電対４とはそれぞれ温度制御装置と電気的に接続されており、前記温度制御装置は各熱電対によって監視された温度に基づいて、ＰＩＤアルゴリズムにより燃料１０と酸素富化空気１２の流量を制御する。燃料１０は放射管内で燃焼し、燃料１０の燃焼によって生じた高温ガスは、ガス放射管１の内壁を加熱し、ガス放射管１は、外壁と外部環境との間の伝熱によって熱処理炉を加熱して、前記ガス放射管１内の燃焼反応を制御する。よって前記熱処理炉の各段階の温度が正確に制御される。
【００２３】
好ましい実施形態として、前記ガス放射管１は中空キャビティを有するＵ型構造であり、かつ前記ガス放射管１の外壁にヒートシンクが設けられている。従来のガス放射管と比べて、本発明の放射管の外表面にヒートシンクがあり、伝熱面積が増加し、燃焼も強化され、ガス温度と熱効率も増加し、排気ガスとＮＯｘ気体排出量が減少して、総合的な利用レベルと経済効率を高めることができる。従来のＵ型放射管と異なり、本実施形態で採用したＵ型構造のガス放射管１は固定された入り口と出口がない。Ｕ型の２つの出口は燃焼ガスの入り口でもあり、よって、ガス放射管の燃焼部の温度が高く、ガス出口の温度が低いという問題を解決した。
【００２４】
好ましい実施形態として、前記酸素富化空気１２は熱処理工場から窒素を製造する過程で発生した副産物である。窒素を製造する過程で発生する酸素富化気体を利用して酸素富化空気を送風することは、燃焼効率の加熱速度率を有効に向上させる。
【００２５】
好ましい実施形態として、図１に示すように、前記ガス放射管温度制御システムは更に、前記ガス放射管１の先端に設けられるバーナー１３を含み、前記燃料１０と酸素富化空気１２は全部前記バーナー１３に繋がる。
【００２６】
好ましい実施形態として、図１に示すように、前記ガス放射管温度制御システムは更に、前記ガス放射管１の末端の煙道６に配置され、及び、前記煙道６と前記ガス放射管１の末端との間に配置される熱交換器５を含む。熱交換器５はガス放射管の熱効率を向上させる重要な部品であり、燃焼用空気を予熱したり、ガス放射管１の熱効率を向上させるために用いられる。具体的には、前記熱交換器５の熱媒体の入り口は前記ガス放射管１の末端に繋がり、熱媒体の出口は前記煙道６と繋がる。前記熱交換器５の冷媒体の入り口はパイプを通して送風機８に接続され、冷媒体の出口はパイプを通して前記ガス放射管１の先端に繋がり、送風機８から供給された冷気は熱交換器５で予熱されてから燃料と一緒に燃焼し、燃焼により発生した火炎流と発生した排ガスは煙道６に流れる。エネルギーは管壁を通って熱処理炉内に放射され、煙道ガスは熱交換器５を通過して冷たい空気と熱交換され、煙道ガスの温度が下がり、冷たい空気は加熱される。
【００２７】
好ましい実施形態として、図１に示すように、燃料１０をデリバリーするパイプに燃料１０の流量を制御する第２の調整弁９が設けられており、前記酸素富化空気１２をデリバリーするパイプに酸素富化空気１２の流量を制御する第３の調整弁１１が設けられており、それに、送風機８と前記ガス放射管１と繋がるパイプに第１の調整弁７が設けられている。前記第１の調整弁７と、第２の調整弁９と、第３の調整弁１１と送風機８とはそれぞれ前記温度制御装置に電気的に接続されている。前記温度制御装置はリアルタイムで測定された放射管内の温度、管外温度と、管壁温度との間の温度差と、それらと各設定温度との間の温度差とにしたがって、ＰＩＤアルゴリズムにより温度を制御する。管内温度の過熱及び等温と作業エリアにおける温度調節遅延の問題を防ぐことができ、作業温度の均一性と安定性が改善される。
【００２８】
前記技術方案に基づいて、当該のガス放射管温度制御システムに基づくガス放射管の加熱装置はガス放射管１と、バーナー１３と熱交換器５から構成され、バーナー１３はガス放射管加熱装置全体のコアであり、ガス放射管１はバーナー１３から噴射された燃料により燃焼され加熱される。当該のガス放射管１３は、燃料の燃焼により放出された熱エネルギーを加熱物体に放射するための重要部品である。熱交換器５はガス放射管の熱効率を向上させる重要な部品であり、燃焼用空気を予熱したり、ガス放射管１の熱効率を向上させるために用いられる。具体的には、ガス放射管１の一端にバーナー１３が接続され、他の一端に煙道６が接続され、冷たい空気は熱交換器５より予熱された後、燃料と一緒に燃焼し、燃焼より発生した火炎流と排気ガスは煙道６に流れ、管壁を通って熱処理炉内に熱エネルギーが放射され、煙道ガスは熱交換器５を通ってから冷たい空気と熱交換し、煙道ガスの温度が下がり、冷たい空気は加熱される。
【００２９】
他の好ましい実施形態として、前記ガス放射管温度制御システムに基づくガス放射管温度制御方法を提供する。具体的なステップは以下であり、
ステップ１において、熱処理炉内に燃料１０と酸素富化空気１２と繋がるガス放射管１を設置して、ガス放射管１の内部にガス放射管１の内部の温度を監視する第１の熱電対２を設置して、ガス放射管１の管壁にガス放射管１の管壁の温度を監視する第２の熱電対３を設置して、ガス放射管１の外部の作業エリアに熱処理炉の作業エリアの温度を監視する第３の熱電対４を設置すること、
ステップ２において、第３の熱電対４によって検出された温度を温度制御装置に送信して、前記温度制御装置が制御プログラムを実行して計算を行い、熱処理炉の作業状態が昇温段階であるか或いは保温段階であるかを判断し、作業状態が昇温段階である場合には、第３の熱電対４によって実測された温度と目標温度との差を用いて、燃料１０と酸素富化空気１２の流量を制御することによって、前記ガス放射管１内の燃焼反応を制御すること、
ステップ３において、保温段階において、第２の熱電対３によって検出された温度を温度制御装置に発送して、前記温度制御装置は、設定された目標温度により自動的に前記燃料１０と酸素富化空気１２の流量を制御することによって、設定された目標温度に基づいて、対応する温度制御エリアの温度を調整し、昇温段階において、前記第２の熱電対３が熱処理炉の温度の制御に関与しないこと、
ステップ４において、第１の熱電対２によって検出された温度を前記温度制御装置に送信して、前記温度制御装置は、設定されたアラーム温度に基づいて、前記熱処理炉内の温度制御エリアの温度がアラーム温度を超えているかどうかを判断し、アラーム温度を超える場合には、前記温度制御装置は、前記目標温度に基づいて、自動的に前記燃料１０と酸素富化空気１２の流量を制御することによって、温度がアラーム温度より小さくなるようにする。
【００３０】
本実施形態において、前記ガス放射管の温度制御方法において、前記ステップ（２）と、ステップ（３）とステップ（４）に、第３の熱電対によって実測された温度とその温度制御エリアの目標温度との差により、前記熱処理炉内の各温度制御エリアの作業状態が昇温段階であるか保温段階であるかが判断される。
【００３１】
本実施形態において、作業エリアにおける前記第３の熱電対４によって検出された温度がずっと前記目標温度より低い場合には、前記作業エリアに対応する熱処理炉の温度制御エリアは昇温段階にある。前記作業エリアにおける第３の熱電対４によって検出された温度が前記目標温度より大きい或いは同じである場合には、その作業エリアに対応する熱処理炉の温度制御エリアは保温段階にある。
【００３２】
本実施形態において、熱処理炉が昇温段階にある場合には、前記第３の熱電対４によって実測された温度と当該の温度制御エリアの目標温度との差にしたがって、ＰＩＤアルゴリズムにより熱処理炉の温度を制御する。熱処理炉が保温段階にある場合には、前記第２の熱電対によって実測された温度と当該の温度制御エリアの目標温度との差にしたがって、ＰＩＤアルゴリズムによって熱処理炉の温度を制御する。 
【００３３】
本実施形態において、ステップ（３）に、前記ガス放射管１内の燃焼反応によって発生した熱の一部がガスの温度を上昇させ、他の一部が伝熱と、放射と、対流とを介して放射管と管外環境とに伝達され、熱処理炉の周囲温度を上げる。
前記ガス放射管内の燃焼反応によって発生した熱は、
【数９】
2021521499.tif 000011
ここで、
【数１０】
2021521499.tif 000012
は質量流量率であり、すなわち、単位時間当たりの燃焼反応に関与するガスの質量であり、Ｈはガスの単位質量当たりの燃焼発熱量、Δtは燃焼反応時間、Ｋは燃焼率である。
熱収支によれば、各部分の熱量の合計はジュール熱に等しく、
【数１１】
2021521499.tif 000013
ここで、Ｑは燃焼熱、Ｑ１は放射管の昇温時に吸収された熱、Ｑ２は管外環境(熱処理炉)の昇温時に吸収された熱、Ｑ３は管内ガスの昇温時に吸収された熱である。 
【数１２】
2021521499.tif 000014
ここで、ｍは放射管の質量で、Ｃｐは定圧熱容量で、
【数１３】
2021521499.tif 000015
は平均定圧熱容量、Ｔｒは放射管の温度（放射管が薄いため、放射管管内の温度はほとんど一致）、Ｔｍは室温である。
【数１４】
2021521499.tif 000016
【数１５】
2021521499.tif 000017
ここで、ｈｏは放射管と管外環境との間の伝熱係数、ｈｉは放射管と管内環境との間の伝熱係数、Ｔｆｏは管外環境の温度、Ｔｒは管壁の温度、Ｔｆｉは管内環境の温度である。
方程式（２）によって、
【数１６】
2021521499.tif 000018
があり、
ここで、Ｔｆｏは熱処理炉の作業エリアにおける温度、Ｔｒは放射管の管壁の温度、Ｔｆｉは熱電対によって測定された放射管内の温度である。
前記温度制御装置は、Ｔｆｏ、Ｔｒ、（Ｔｒ−Ｔｆｏ）および（Ｔｒ−Ｔｆｉ）の値に基づいて、ＰＩＤアルゴリズムを採用して、リアルタイム温度と目標温度との偏差を算出して制御量を出力することによって、熱処理炉の昇温段階と保温段階の温度を正確に制御する。
【００３４】
本発明で提示したガス放射管温度制御システムとその制御方法は、各熱電対を放射管内部、放射管の管壁、熱処理炉の作業エリアのそれぞれに配置し、異なる段階で異なる温度制御方式を採用し、昇温段階では作業エリアの熱電対の信号によって温度が制御され、保温段階に入った後、放射管の管壁の温度信号によって温度が制御される。熱電対の位置が固定されており、気流の影響を受けることが少ないため、ＰＩＤアルゴリズムによってリアルタイム温度と設定温度との偏差を算出して制御量を出力することによって、抵抗炉の温度を正確に制御できる。よって、熱処理炉の温度信号の安定性、均一性、正確性と感度が保証される。
【００３５】
以上は、本発明の具体的な実施形態について詳細に説明したが、これは例示にすぎず、本発明は上記で説明した具体的な実施例に限定されるものではない。当業者にとっても、本発明に対する均等の修正および置換は、全部本発明の範囲内にある。したがって、本発明の主旨と保護範囲から逸脱することなく行われる均等修正及び置換は、すべて本発明の範囲内に含まれるべきである。
【図１】
2021521499.tif 000027
【国際調査報告】
2021521499.tif 000028
2021521499.tif 000029
2021521499.tif 000030
2021521499.tif 000031
2021521499.tif 000032
2021521499.tif 000033